(57)【要約】【課題】  手を汚さずに極めて簡便に取り扱え、ゴミ入りポリ袋の投入及び回収が容易にできる折畳ゴミ置き場で、路上の収集場所に山積みされるゴミ入りポリ袋をカラスや野良ネコ等によるゴミ散乱公害から守り、衛生的で、しかも街の景観を損なうことをなくす。【解決手段】  パイプ材でなる２枚の四角い支持部材をＸ字型に交差して組み立て、前記Ｘ字型に交差する部分を、各々継手で止め、無蓋で開口前面の四角い箱型に縫製したネット材の容器を上から嵌め込み、ネット材上端の前後を、前記支持部材上部の前後に固定し、又、前方支持部材上部左右両端に、伸縮自在の帯部材の左右両端を止め、前記帯部材と支持部材前方上部を結ぶ縦方向に多数の紐材でなる被覆材で覆った開口上面の被覆体を有し、且、前記開口前面のネット材下辺に開閉用の棒部材を施してなる。【選択図】      図１
2005047709.tif 000002
【特許請求の範囲】
【請求項１】
２枚の四角い枠材をＸ字型に交差させ、前記Ｘ字型に交差する部分を、各々軸継手で止めて折畳み可能に組み立てた支持枠体内に、頂面を開口するとともに前面の左右側辺ならびに下辺を開放して前面を下から上へ開閉できるように被覆部材にネット材を用いて縫製した四角い箱型を呈する容器状の被覆体を嵌め込み、前記被覆体の前面と後面の各上辺を前記支持枠体における前方枠材の上辺と後方枠材の上辺に各々固定し、又、伸縮自在の帯部材を、前記支持枠体における前方枠材の上辺枠両端に設けた取付金具に、各々止めて前記支持枠体の前方枠材の上辺枠に沿って配置し、更に、前記被覆体の開口した頂面を前記伸縮自在の帯部材と、これに対峙する前記支持枠体の後方枠材の上辺枠との間に多数の紐材からなる蓋部材を一定間隔に保ち並べて架設してなる蓋体で覆い、且、前記被覆体の前面下辺に沿って重り兼用の取手付き開閉用棒部材を、又、後面下辺に沿って重り用の棒部材を施してなることを特徴とする折畳ゴミ置き場。
【請求項２】
前記被覆体が底面を有していない請求項１記載の折畳ゴミ置き場。
【請求項３】
前記被覆部材にネット材を用いて縫製した四角い箱型を呈する容器状の被覆体の素材にネット材の代わりに、左右両側面をジャバラ状に形状記憶加工した撥水性布地材を被覆部材に用いてなる請求項２記載の折畳ゴミ置き場。
【請求項４】
前辺に伸縮自在の帯部材を、これに対峙する後辺に棒部材を配し、前記前辺の伸縮自在の帯部材と後辺棒部材との間に多数の紐材からなる蓋部材を一定間隔に保ち並べて架設してなる蓋体を作り、又、前記支持枠体における前方枠材の上辺枠に止め具を、更に後方枠材の上辺枠に止め金を設け、前記蓋体、即ち前記帯部材と棒部材を、容易に取り外しができるように止めてなる請求項１乃至３いずれかに記載のゴミ置き場。
【請求項５】
前記２枚の四角い枠材をＸ字型に交差する軸継手にバネ部材を施して前記２枚の枠材を互いに拡開する方向へ付勢し、且、前記支持枠体における後方枠材の上辺枠に取手付止め具を設けてなる請求項１乃至５いずれかに記載の折畳ゴミ置き場。
【請求項６】
３枚の四角い枠材を用い、１枚を後面、他の２枚を対向する左右両側面に配置し、前記後面と左右両側面とを各々蝶番で継いだ支持枠体内に、頂面を開口するとともに前面の左右並びに下辺を開放して前面を下から上へ開閉可能にネット材を用いて縫製した四角い箱型を呈する容器状の被覆体を嵌め込み、前記被覆体を前記支持枠体の各枠材に固定し、又、伸縮自在の帯部材を、前記左右側面に位置する支持枠体の両上辺の前方枠材に設けた取付金具に各々止めて、前面被覆体上辺に併行して配置し、更に、前記被覆体の開口した頂面を前記伸縮自在の帯部材と、これに対峙する前記後面の支持枠体の上辺枠材との間に多数の紐材からなる蓋部材を一定間隔に保ち並べて架設してなる蓋体で覆い、且、前記被覆体における前面の下辺に沿って取手付き開閉用棒部材を施してなることを特徴とする折畳ゴミ置き場。
【請求項７】
前記被覆体における前面の両側に開閉用のバネ内蔵継手付枠材を施してなることを特徴とする請求項６記載の折畳ゴミ置き場。
【請求項８】
前記伸縮自在の帯部材に非固定型取手を施してなる請求項１乃至７いずれかに記載の折畳ゴミ置き場。
【請求項９】
前記伸縮自在の帯部材にフック付非固定型取手を施してなる請求項１乃至８いずれかに記載の折畳ゴミ置き場。
【請求項１０】
前記非固定型取手又はフック付非固定型取手を複数設けてなる請求項１乃至９いずれかに記載の折畳ゴミ置き場。
【請求項１１】
前記伸縮自在の帯部材がコイルバネでなる請求項１乃至１０いずれかに記載の折畳ゴミ置き場。
【請求項１２】
前記支持枠体の後方下部左右両端に固定金具を有する請求項１乃至１１いずれかに記載の折畳ゴミ置き場。
【請求項１３】
前記支持枠体において、上部で対峙する前方枠材と後方枠材との間に、縦に複数のレール用ロープを渡し、各々先端を前方及び後方の枠材に止め、前記ロープとロープの間に蓋部材として撥水性布地材又はネット材を張り、前記蓋部材の前方へ、前方枠材に平行するように開閉用の取手付き棒部材を取付け、更にレール用ロープと蓋部材とを多数の二重リングで結んでなる蓋体を有する請求項１乃至１２いずれかに記載の折畳ゴミ置き場。
【請求項１４】
前記支持枠体における開閉部分の支持枠材下辺にコロを施してなる請求項１乃至１３いずれかに記載の折畳ゴミ置き場。
【発明の詳細な説明】
【技術分野】
【０００１】
本発明は、家庭から排出されるゴミを所定場所に一時的に収集して置く為の折畳ゴミ置き場に関する。
【背景技術】
【０００２】
家庭用から排出される生ゴミや通常ゴミは、一般的に各家庭でポリエチレン製のゴミ収納袋に袋詰めされて、各町内ごとに決められた所定の日に所定の場所に集められ、これをゴミ回収車が来て持ち去るようになっている。
【０００３】
団地等ではその一角に団地内の家庭から排出されるゴミの為にゴミ置き場を設け、持ち込まれたゴミ入ポリ袋が散乱しないように管理しているが、個建てやアパート等、一般家庭から排出されるゴミ入ポリ袋は、ゴミ専用の公共のゴミ置き場が確保できないことから、ゴミ収集日に街路の片隅をゴミ置き場とし山積みにして集められている。
【０００４】
この為、ゴミ収集日の街の景観が損なわれるばかりでなく、カラスや野良猫が生ゴミを収納したゴミ袋を食い破って中身が路上に散乱し、悪臭や衛生問題の発生等、動物によるゴミ公害を引き起こしている。
【０００５】
これらの問題解決のため、これまで実用新案出願公開昭６３−１４８６０１、実開平４−４０００２、実開平４−１２１９０１、実開平５−５７０１、実開平５−３７７０１、実開平５−４２２０１、実開平７−１３８０１、特開平８−３１０６０１、及び登録実用新案第３０５６８０９号公報、特願２００２−０７５９３６、さらに特願２００２−３３６３８３等で、ゴミ箱やゴミ置き場の各種の提案がなされたが、いずれも構造が複雑であるとともに手を汚さずに極めて簡便に取り扱えるものはなかった。
【特許文献１】実用新案出願公開昭６３−１４８６０１号公報
【特許文献２】実開平４−４０００２号公報
【特許文献３】実開平４−１２１９０１号公報
【特許文献４】実開平５−５７０１号公報
【特許文献５】実開平５−３７７０１号公報
【特許文献６】実開平５−４２２０１号公報
【特許文献７】実開平７−１３８０１号公報
【特許文献８】特開平８−３１０６０１号公報
【特許文献９】登録実用新案第３０５６８０９号公報
【特許文献１０】特願２００２−０７５９３６号公報
【特許文献１１】特願２００２−３３６３８３号公報
【発明の開示】
【発明が解決しようとする課題】
【０００６】
そこで本発明は、上記の問題に鑑みてなされたもので、手を汚さずに女子供でも極めて簡便に取り扱え、ゴミ入りポリ袋の投入及び回収が容易にでき、路上の収集場所に山積されるゴミ入ポリ袋の動物等によるゴミ散乱公害から守り、街の景観を損なうことを無くすために役立つ、折畳ゴミ置き場とすることにある。
【課題を解決するための手段】
【０００７】
本発明は、上記の問題を解決する手段として、２枚の四角い枠材をＸ字型に交差させ、前記Ｘ字型に交差する部分を、各々軸継手で止めて折畳み可能に組み立てた支持枠体内に、頂面を開口するとともに前面の左右側辺ならびに下辺を開放して前面を下から上へ開閉できるよう被覆部材にネット材を用いて縫製した四角い箱型を呈する容器状の被覆体を嵌め込み、前記被覆体の前面と後面の各上辺を前記支持枠体における前方枠材の上辺と後方枠材の上辺に各々固定し、又、伸縮自在の帯部材を、前記支持枠体における前方枠材の上辺枠両端に設けた取付金具に、各々止めて前記支持枠体の前方枠材の上辺枠に沿って配置し、更に、前記被覆体の開口した頂面を前記伸縮自在の帯部材と、これに対峙する前記支持枠体の後方枠材の上辺枠との間に多数の紐材からなる蓋部材を一定間隔に保ち並べて架設してなる蓋体で覆い、且、前記被覆体における前面の下辺に沿って重り兼用の取手付き開閉用棒部材を、又、後面の下辺に沿って重り用の棒部材を施してなり、簡単に投入口及び回収口が得られるようになっており、従来のように重い蓋を開ける必要がなく容易にゴミ入りポリ袋の投入及び回収ができる。
【０００８】
特にネット自体に枠部材がなく、Ｘ字型に交差して組み立てられている枠材は、継手の働きで容易に広げたり畳んだりでき、折畳ゴミ置き場には最適であり、しかも従来のものとは異なり、取り扱いが極めて簡便で、ゴミ入りポリ袋の投入及び回収が容易になる。
【０００９】
又、前記被覆体を底面のないものにすることもできる。
【００１０】
又、前記被覆部材にネット材を用いて縫製した四角い箱型を呈する容器状の被覆体の素材にネット材の代わりに、左右両側面をジャバラ状に形状記憶加工した撥水性布地材を被覆部材に用いることもできる。
【００１１】
又、前辺に伸縮自在の帯部材を、これに対峙する後辺に棒部材を配し、前記前辺の伸縮自在の帯部材と後辺棒部材との間に多数の紐材からなる蓋部材を一定間隔に保ち並べて架設してなる蓋体を作り、又、前記支持枠体における前方枠材の上辺枠に止め具を、更に後方枠材の上辺枠に止め金を設け、前記蓋体、即ち前記帯部材と棒部材を容易に取り外しができるように止めることもできる。
【００１２】
又、前記２枚の四角い枠材をＸ字型に交差する軸継手にバネ部材を施して前記２枚の枠材を互いに拡開する方向へ付勢し、且、前記支持枠体における後方枠材の上辺枠に取手付止め具を設けることができる。
【００１３】
又、３枚の四角い枠材を用い、１枚を後面、他の２枚を対向する左右両側面に配置し、前記後面と左右両側面とを各々蝶番で継いだ支持枠体内に、頂面を開口するとともに前面の左右並びに下辺を開放して前面を下から上へ開閉可能にネット材を用いて縫製した四角い箱型を呈する容器状の被覆体を嵌め込み、前記被覆体を前記支持枠体の各枠材に固定し、又、伸縮自在の帯部材を、前記左右側面に位置する支持枠体の両上辺の前方枠材の両端に設けた取付金具を各々止めて、支持枠体の上辺の前方に配置し、更に、前記被覆体の開口した頂面を前記伸縮自在の帯部材と、これに対峙する前記後面の支持枠体の上辺枠材との間に多数の紐材からなる蓋部材を一定間隔に保ち並べて架設してなる蓋体で覆い、且、前記被覆体における前面の下辺に沿って取手付の開閉用棒部材を施すことができる。
【００１４】
又、前記被覆体における前面の両側に開閉用のバネ内蔵継手付枠材を開口前面のネット材左右両側に開閉用のバネ内蔵継手付枠材を施すことができる。
【００１５】
又、前記伸縮自在の帯部材に非固定型取手を施すことができる。
【００１６】
又、前記伸縮自在の帯部材にフック付非固定型取手を施すことができる。
【００１７】
又、前記伸縮自在の帯部材に非固定型取手又はフック付非固定型取手を複数設けることができる。
【００１８】
又、前記伸縮自在の帯部材にコイルバネを用いることができる。
【００１９】
又、前記の四角い枠材の後方左右両端下部に固定金具を有することもできる。
【００２０】
又、前記支持枠体において、上部で対峙する前方枠材と後方枠材との間に、縦に複数のレール用ロープを渡し、各々先端を前方及び後方の枠材に止め、前記ロープとロープの間に蓋部材として撥水性布地材又はネット材を張り、前記蓋部材の前方へ、前方枠材に平行するように開閉用の取手付き棒部材を取付け、更にレール用ロープと蓋部材とを多数の二重リングで結んでなる蓋体を用いることができる。
【００２１】
更に、前記支持枠体における開閉部分の支持枠材下辺にコロを施すことができる。
【発明の効果】
【００２２】
本発明は、以上説明したような形態で実施され、以下に記載されるような効果を奏する。
パイプ材でなる２枚の四角い枠部材をＸ字型に交差して組み立て、無蓋で開口前面の四角い箱形又は囲いに縫製したネット材、又は左右両側をジャバラ状に形状記憶加工した撥水性布地でなる被覆体を上から嵌め込んでなり、使い勝手のよい簡便な折畳式ゴミ置き場で、被覆体における開口した頂面の蓋体が多数の紐材からなる蓋部材と伸縮自在の帯部材でなり、帯部材を軽く持ち上げただけで投入口が開き、又、被覆体の開口前面に付設した開閉用棒部材を上に持ち上げるとネット材、又は左右両側をジャバラ状に記憶加工した撥水性布地でなる被覆体がめくり上がり、回収口が確保されるなど、極めて簡便な機能を有し、特に、帯部材に非固定型取手を用いたものは投入口が大きく開き、又、固定用金具を設けたものは地面に固定し、強風で飛ばされたり不用意に移動することがない。更に、未使用時にはコンパクトに折畳まり、歩行の障害や街の美観を損なうことがなく、そして動物によるゴミ公害を防止し、悪臭や衛生問題なども一挙に解決することができる。
【発明を実施するための最良の形態】
【００２３】
以下、本発明の折畳ゴミ置き場の実施の形態につき添付図面を参照しながら詳細に説明する。
【００２４】
図１，２，３，４及び５は本発明における折畳ゴミ置き場について第１の実施の形態を示すものであり、パイプ材からなる２枚の四角い枠材１ａ，１ｂをＸ字型に交差させ、前記Ｘ字型に交差する部分を、各々軸継手２，２で止めて折畳み可能に組み立てた支持枠体１をつくり、この支持枠体１内に、頂面３を開口するとともに前面４の左右両辺（上部約１／３を除く下部）と下辺を開放して前面４を下方側から上方へ開放可能になるように、被覆部材５ａにネット材を用いて縫製した四角い箱型を呈する容器状の被覆体５を上から嵌め込み、前記被覆体５の前面上辺５ｂと後面上辺６を、各々前記支持枠体１における前方枠材１ａの上辺枠７と後方枠材１ｂの上辺枠８に紐を用いて固定し、又、横長の丸織ゴム（直径０.６ｃｍ〜０.８ｃｍ程度の丸打ちをしたゴム紐）からなる伸縮自在の帯部材９を、前記支持枠体１における前方枠材１ａの上辺枠７左右両端に接続係止金具１０ａを用いてなる帯部材取付金具１０，１０に取り付けて各々止め、前記前方枠材１ａの上辺枠７に沿って配置し、更に、前記被覆体５の開口した頂面３を伸縮自在の帯部材９と、これに対峙する前記後方枠材１ｂの上辺枠８との間に多数の紐材からなる蓋部材１１ａを一定間隔に保ち並べて架設してなる蓋体１１で覆っている。
【００２５】
前記被覆体５を広げたり畳んだりする前記支持枠体１にスムーズに連動させるため、前記被覆体５の前面下辺５ｃに沿って、止め金付取手１４ａ付重り兼用の開閉用棒部材１４を、又、後面下辺６ａに沿って重り用の棒部材１５を施し、更に、閉じた回収口１２を押える（固定する）ため、前記被覆体５の前面左右両側に複数のフック付棒部材１６，１６を設けている。このフック付棒部材１６，１６は、前記支持枠体１における前方枠材１ａの上辺枠７左右両端に揺動する機能１６ｂ,１６ｂを持たせて枢着し（図５参照）、支持枠体１を開閉してもフック付棒部材１６，１６が常に真下の方に向かっているようにする（図１、図２、図３参照）。
【００２６】
そして、この第１の実施例の形態の折畳ゴミ置き場は、未使用時には前方及び後方枠材１ａ，１ｂを交差させ軸継手２，２で止めてなる支持枠体１を畳んで置き、又、使用時に支持枠体１の前方枠材１ａの上辺枠７と後方枠材１ｂの上辺枠８とを前後に広げると支持枠体１が軸継手２，２を基点に開き、被覆体５が四角い箱に広がり折畳ゴミ置き場が形成される。ゴミを投入するには、前記伸縮自在の帯部材９を手で握り軽く持ち上げると、紐材からなる蓋部材１１ａで形成される蓋体１１が図１に示す破線の方向へ、即ち上方又は後方斜め上方へ開き、投入口１３が得られ（図１参照）、手を離すと伸縮自在の帯部材９が元に戻り投入口１３が閉じる（図２参照）。
【００２７】
次に、伸縮自在の帯部材９数箇所（２〜４箇所）にピンフック９ｂ…９ｂを取り付け、このピンフック９ｂ…９ｂを後方枠材１ｂの上辺枠８に引っ掛けることで、手を離しても投入口１３を開いたままの状態に維持できるようにする（図４参照）。これだとゴミ入りポリ袋を両手で投入したり、複数のゴミ入りポリ袋を投入するのに便利である。  又、支持枠体１の後方枠材１ｂにおける下辺枠８ａの止め金１７…１７（２〜４箇所）に止めてある前記重り兼用の開閉用棒部材１４の止め金付取手１４ａを握って持ち上げ、この重り兼用の開閉用棒部材１４を前方枠材１ａの上辺枠７へ止めると被覆体５が約２／３めくり上がり、回収口１２が確保される（図２参照）。
【００２８】
更に、前記重り兼用の開閉用棒部材１４を、支持枠体１の前方枠材１ａ上辺枠７から外し被覆体５の網目をフック付棒部材１６，１６のフック１６ａ…１６ａに引っ掛るようにしながら下に降し、元の止め金１７…１７に戻す（止める）と、下に降りた被覆体５の網目が左右両端のフック付棒部材１６，１６の複数のフック１６ａ…１６ａに引っ掛かり、即ち、戻す（止める）、引っ掛ける２つの作用で被覆体５は、左右のフック付棒部材１６，１６に固定し、回収口１２が閉じるようになっている。フック１６ａは、どのようなタイプのものを使用しても構わないが、引っ掛かったネット材が外れにくいボタンの形状をしたもの（図５参照）が最も望ましい。
【００２９】
従って、前記開口前面４を構成する被覆体５の左右両側下約２／３と底辺部分は縫い合わせないようにする。更に、止め金付取手１４ａを有する重り兼用の開閉用棒部材１４及び重り用棒部材１５は、前記支持枠体１を広げたとき文字通り重りの役目を果たし、スムーズに被覆体５が前後に開き、折畳ゴミ置き場を形成させるのに役立つ。
【００３０】
尚、支持枠体１の折り畳みは、支持枠体１の前方枠材１ａの上辺枠７と後方枠材１ｂの上辺枠８とを両手で握り折り畳む（図３参照）。又、伸縮自在の帯部材９は軽く手で持ち上げられる程度の軽い伸縮性のものを使用する。
【００３１】
前記被覆体５に用いる被覆部材５ａの素材には、特にこだわらないが、例えばナイロン系の高分子合成繊維が適しており、網目の大きさは２.５ｃｍ程度のものがよい。一方、前記蓋部材１１ａに使用する紐材についても、特に材料にはこだわらないが、例えば耐久性があり伸縮性に富むアクリル撚糸（太さ０.４ｃｍ〜０.６ｃｍ程度）がよく、これをコイル状に巻き形状記憶加工したものを使用するのが望ましい。尚、前記被覆体５には、アクリル撚糸等伸縮性のある合成繊維撚糸のネット材を用いてもよい。
【００３２】
又、全体がほぼ箱形に形成された本発明である折畳ゴミ置き場の大きさは、例えばＳサイズＨ９０ｃｍ〜１００ｃｍ×Ｗ１２０ｃｍ〜１４０ｃｍ×Ｄ６０ｃｍ〜６５ｃｍ、ＭサイズＨ９０ｃｍ〜１００ｃｍ×Ｗ１４０ｃｍ〜１６０ｃｍ×Ｄ６５ｃｍ〜７０ｃｍ、ＬサイズＨ９０ｃｍ〜１００ｃｍ×Ｗ１６０ｃｍ〜１８０ｃｍ×Ｄ７０ｃｍ〜７５ｃｍ程度とし、ゴミの出る量によってＳサイズ、Ｍサイズ、又はＬサイズを用い、ゴミが大量に出る地域ではＭサイズ又はＬサイズを２台並べて使用するなど、その地域によってサイズ及び台数を選択できる。又、枠材のパイプの直径は２.０ｃｍ〜２.５ｃｍ程度（肉厚１ｍｍ〜３ｍｍ程度）のものを使用する。
【００３３】
更に、帯部材９には、例えば平織ゴム（幅２ｃｍ〜３ｃｍ程度の平打ちしたゴム紐）を使用することもできるが、前記丸織ゴム及び平織ゴム等の帯部材９は、直射日光が照射する屋外に放置すると劣化が早く、耐久年数が６ヶ月程度なので、６ヶ月程度ごとに劣化した丸織ゴム及び平織ゴム等の帯部材９だけを交換することにより、極めて経済的に効率よい運用を図ることができる。
【００３４】
図６及び７は帯部材９に丸織ゴム（図６参照）を、又、帯部材９に平織ゴム（図７参照）を用いた場合の交換手段の一例を挙げたものであり、予め蓋体１１を構成する紐材である蓋部材１１ａに輪（ワッカ）１８部分を形成しておき、この輪（ワッカ）１８部分に帯部材９を順次挿通させて、その先端を開閉式の帯部材取付金具１０に取り付ける構成になっている。又、帯部材９を取り外すには、帯部材取付金具１０を開放して帯部材９の噛着を解除し、蓋体１１を構成する紐材、即ち蓋部材１１ａの輪（ワッカ）１８部分から帯部材９を順次抜き取ればよい。尚、帯部材取付金具１０は接続係止金具１０ａで支持枠体１を形成する前方枠材１ａの上辺枠７左右両端に取り付ける。
【００３５】
更に、図８及び９に示すように、丸織ゴム（図８参照）及び平織ゴム（図９参照）の帯部材９の先端及び各紐材である蓋部材１１ａの輪（ワッカ）１８部分は互いの挿通を容易にするため比較的薄い糊材で固めておくとよく、特に帯部材９の先端については糊の持続性が短い澱粉系の糊材が好適であり、又、高分子の合成樹脂製紐である蓋部材１１ａの輪（ワッカ）１８部分については、糊の持続性が長い、例えばアクリルなど蓋部材１１ａの素材に合致した合成樹脂を溶剤に溶かした糊材を用い、前記糊材を噴霧付着させて固めるのが好ましい。
【００３６】
尚、前記四角い枠材１ａ，１ｂにパイプ材を用いたが、例えば端面Ｌ字型のアングル材を用いてもよく、又パイプ材及びアングル材にはアルミニウム、ステンレス、スチール、チタン等をはじめその他の金属材を使用することができる。
【００３７】
図１０は、本発明における第２の実施の形態を示すものであり、前記第１の実施の形態における被覆体５の底壁１９ａを有していない四角い囲い１９に縫製したものである。これは、ゴミ入りポリ袋を屋外へ一時的に保管する為のものだけに、別に底壁がなくとも不都合ではなく、折畳ゴミ置き場がむしろ清掃し易く、衛生的であり、又、製造コストも軽減されるメリットさえある。
【００３８】
図１１，１２及び１３は、本発明における第３の実施例の形態を示すものであり、前記被覆部材５ａにネット材を用いて縫製した四角い箱型を呈する容器状の被覆体５の素材にネット材の代わりに、左右両側面をジャバラ状に形状記憶加工した撥水性布地材を被覆部材５ａに用いてなる（図１１参照）。ネット材を使用した第１の実施例の形態と異なる点は、回収口１２を閉じるのにフック付棒部材１６，１６を必要とせず、代わりに面ファスナー２０を用いる。面ファスナーのオス２０ａおよびメス２０ｂは、図１２に示すように被覆体５前面左右両側の開閉部切り込み２１に各２枚ずつ設けてなる補強用にナイロンの帯状テープ２２（厚さ約０.２ｃｍ、幅約３ｃｍ、長さ約５１ｃｍ）に各々２〜３ヶ所ずつ取り付ける。回収口１２の開口は第１の実施例の形態と同じように前記重り兼用の開閉用棒部材１４の止め金付取手１４ａを握って持ち上げると、同時に止めてある（くっ付き合っている）オス・メスの面ファスナー２０ａ，２０ｂが外がれ、持ち上げた前記重り兼用の開閉用棒部材１４の止め金付取手１４ａの止め金部分を前方枠材１ａの上辺枠７へ止めると被覆体５の前面が約４８ｃｍ捲り上がり、回収口１２が確保される。尚、被覆部材５ａに厚手の撥水性布地材を使用する場合は、補強用のナイロン帯状テープ２２を取り付ける必要はない。
【００３９】
更に、止め金付取手１４ａを握り前記重り兼用の開閉用棒部材１４を支持枠体１の枠材１ａ上辺枠７から外し被覆体５の前面４を下に降すと回収口１２が閉まり、そして支持枠体１における前方枠材１ａの上辺枠７と後方枠材１ｂの上辺枠８とを両手で握って折り畳み、図１３に示すように内側に隠れている左右両側のナイロンの帯状テープ２２部分を外面から手で軽く押すとオス・メスの面ファスナー２０ａ，２０ｂがくっ付き、回収口１２が固定される（完全に閉じる）。
【００４０】
左右両側面をジャバラ状に形状記憶加工した撥水性布地材の特徴は、先ずカラスの被害を完全に防止できる。これは「目で餌を見分ける」カラスの習性を上手く利用した点にある。第１の実施例の形態におけるネット材使用の折畳ゴミ置き場もカラスに有効ではあるが、ネットだとゴミ入りポリ袋が外側から見えるので、カラスが寄って来て餌を突付こうとするが、布地だとゴミ置き場内のゴミ入りポリ袋が外から目視できず、カラスがゴミ置き場の近くに寄って来ない。又頂面３（上から）即ち多数の紐材からなる蓋部材１１ａを一定間隔に保ち並べて架設してなる蓋体１１からはゴミ入りポリ袋は丸見えだが、これもカラスの習性で地上に降りて足を踏ん張りゴミ入りポリ袋を嘴で突付かないと、丈夫なポリ袋を破けない学習を積んでおり、この第２の実施例の形態における折畳ゴミ置き場だと初めからカラスは諦め寄って来ない。
【００４１】
次に左右両側をジャバラ状に形状記憶加工した撥水性布地材を用いて縫製した四角い箱型を呈する容器状の被覆体５だと、Ｘ字型に交差する支持枠体１における前方枠材１ａの上辺枠７及び後方枠材１ｂの上辺枠８を折り畳むさい、ネット材を用いたときより１／３程度被覆体５をコンパクトに折り畳むことができる（図１３参照）。布地の素材は丈夫なナイロンなど高分子系合成繊維が最適で、撥水加工により汚れも付き難く、雨で汚れも流され易く衛生的である。更に撥水性布地に粉末状酸化チタンの添加加工を施すと光触培の働きで、汚れが分解して消え、より衛生的である。又ネット材と違い布地に好みの絵模様をプリントでき、例えばさわやかな絵模様に「街の美化に協力します。○○医院」などの字句を入れる（プリントする）と広告媒体にもなり、場合によってはスポンサーにこの折り畳みゴミ置き場を設置してもらえることもあり得る。
【００４２】
図１４及び１５は本発明における第４の実施例の形態を示すものであり、この形態の蓋体１１は前辺に伸縮自在の帯部材９と、それに対峙する後辺に蓋部材取付用棒部材２３を配置し、前記前辺に配置した伸縮自在の帯部材９と、後辺に配置した蓋部材取付用棒部材２３との間に一定間隔で多数の紐材からなる蓋部材１１ａを架設してなる蓋体１１を作り、この蓋体１１の伸縮自在の帯部材９を前記支持枠体１における前方枠材１ａの上辺枠７に設けてある接続係止金具１０ａへ止め、又、これに対峙する蓋部材取付用棒部材２３を前記支持枠体１における後方枠材１ｂの上辺枠８の止め金１７ａに、上から嵌め込む（取り付ける）ようになっている（図１４参照）。
【００４３】
伸縮自在の帯部材９を接続係止金具１０ａへ取り付ける具体的な方法は、図１５に示すように、前記伸縮自在の帯部材９の左右両端に取り付けてある係止フック１０ｂを引っ掛けて取り付けるようにしてある。従って蓋体１１交換のときは蓋体１１をそっくりそのまま簡単に取り外しができる。
【００４４】
これだと取り外しが面倒な第１の実施例の形態で示した被覆体５の開口頂面３を、前記支持枠体１における前方枠材１ａの上辺枠７に帯部材取付金具１０で止めた伸縮自在の帯部材９と、これに対峙する前記支持枠体１における後方枠材１ｂの上辺枠８との間に一定間隔を保ち並べた多数の紐材からなる蓋部材１１ａを架設してなる蓋体１１と異なり、劣化した丸織ゴム（平織ゴム）を新しい丸織ゴム（平織ゴム）と交換する煩わしさはなく、蓋体１１ごとそっくり取り外せばよく、極めて簡単に交換作業ができる。
【００４５】
但し、支持枠体１における後方枠材１ｂの上辺枠８に嵌め込む蓋部材取付用棒部材２３の素材は、なるべくアルミニウムなど金属材にせず、取り外した蓋体１１ごと通常のゴミとして捨てられるよう、木材、竹材又はプラスチックのパイプ材などの素材を選ぶとよい。
【００４６】
図１６，１７，１８及び１９は本発明における第５の実施の形態を示すものであり、全体の構成は前記第１の実施の形態とほぼ同様であるが、支持枠体１を形成する２枚のパイプ材からなる２枚の四角い枠材１ａ，１ｂがＸ字型に交差する軸継手２，２部分にバネ部材２４，２４を施し（図１８、図１９参照）、且、支持枠体１における後方枠材１ｂの上辺枠８の中央部に取手付止め具２５を設けてある。そこで前記取手付止め具２５を手で解除すると、バネの働きで自動的に支持枠体１における前方枠材１ａの上辺枠７と後方枠材１ｂの上辺枠８とが互いに開き、折畳ゴミ置き場が形成される（図１６参照）。尚、図１８、図１９に示す軸継手２，２部分の枠材１ａ及び枠材１ｂは潰してあるが、枠材１ａ及び枠材１ｂを潰さずにそのまま軸継手２，２をピンで継いでもよく、バネ部材２４は錆を防ぐためステンレス製にするとよい。
【００４７】
尚、バネ部材２４，２４の力が強すぎると支持枠体１における前方枠材１ａの上辺枠７と後方枠材１ｂの上辺枠８とを広げる際に危険を伴うので、広げるのに程よい力のバネ部材２４，２４を用いる。支持枠体１を折り畳む場合は手前の支持枠体１の前方枠材１ａ上辺枠７を手で押して折り畳み、支持枠体１における後方枠材１ｂ上辺枠８に取り付けてある取手付止め具２５を前方枠材１ａの上辺枠７中央部に引っ掛けて止めるようになっている（図１７参照）。
【００４８】
図２０，２１，２２及び２３は本発明における第６の実施の形態を示すものであり、パイプ枠材でなる３枚の四角い枠材を用い、１枚を後壁用枠材１ｃ、他の２枚を対向する左右両側壁用枠材１ｄ，１ｄとし、前記左右両側壁用枠材１ｄ，１ｄの前方縦枠中央部に握り２６，２６を取り付け、前記後壁用枠材１ｃと左右両側壁用枠材 １ｄ，１ｄとを、各々蝶番２７，２７又はバネ付蝶番２７ａ，２７ａで継いだ支持枠体１内に、頂面３を開口するとともに前面４の左右両辺と下辺を開放して前面４を下方側から上へ開放可能になるよう被覆部材５ａを縫製した四角い箱型を呈する容器状の被覆体５を上から嵌め込み、前記被覆体５を紐で各々の後壁用枠材１ｃ及び左右両側壁用枠材１ｄ，１ｄに結んで止め、又、伸縮自在の帯部材９の左右両端を、対向する左右両側壁用枠材１ｄ，１ｄの上辺前端を結ぶ態様に帯部材取付金具１０，１０で止め（図６及び７参照）、更に、開口頂面３を多数の紐材でなる蓋部材１１ａを前記帯部材９と長手方向に向き合う後壁用枠材上辺枠２８とを結ぶ縦方向に一定間隔を保ち蓋部材１１ａを並べて架設した蓋体１１で覆い、且、開口前面４にするため前記左右側辺（上部約１／３を除く下部）と底辺を縫い合わせず、被覆体５下辺に取手２９を有する重り兼用の開閉用棒部材１４を施し、更に、左右両側壁用枠材１ｄ，１ｄの前方縦枠に複数のフック１６ａ，１６ａを取り付けてなる（図２０参照）。
【００４９】
図２０，２１，２２及び２３の折畳ゴミ置き場の開閉操作は、握り２６，２６を握り、畳んである左右両側壁用枠材１ｄ，１ｄを観音開きに開くと、四角いネット製の被覆体５の折畳ゴミ置き場が形成され、次に前記帯部材９を手で握り軽く持ち上げると上へ伸び、前記図１，２，３及び４に示した第１の実施例の形態と同様に、被覆体５の開口頂面３を覆う紐材の蓋部材１１ａでなる蓋体１１が上方又は後方斜め上方へ開き、投入口１３が得られる（図２０参照）。又、止め金１７…１７に止めてある前記重り兼用の取手付開閉用棒部材２９の取手を握って持ち上げ、左右両側壁用枠材１ｄ，１ｄの上部前方枠左右両端の止め金１７ｂ，１７ｂに止めるとネット製の被覆体５がめくり上がり、回収口１２が確保される（図２１参照）。
【００５０】
更に、開閉用棒部材１４を止め金１７ｂ，１７ｂから外し被覆体５の網目をフック１６ａ，１６ａに引っ掛るようにしながら下に降し、元の止め金１７…１７に戻す（止める）と、下に降りた被覆体５の網目が複数のフック１６ａ，１６ａに引っ掛かり、即ち戻す（止める）と、引っ掛けるとの２つの作用でネット製の被覆体５は、左右両側壁用枠１ｄ，１ｄの前方縦枠に固定し、回収口１２が閉鎖される（図２０参照）。
【００５１】
更にまた、折畳ゴミ置き場の折り畳みは、取手を握って取手付開閉用棒部材２９を持ち上げ、後壁用枠材上辺枠２８まで持っていき止め金１７ｃ，１７ｃに止め（図２２参照）、続いて観音開きの左右両側壁用枠材１ｄ，１ｄを閉じ、打掛３０で止めると折り畳みが完了する（図２３参照）。
【００５２】
尚、バネ付蝶番２７ａ，２７ａを用いた折畳ゴミ置き場は、打掛３０を開けると自動的に左右両側壁用枠材１ｄ，１ｄが開くので、ただの蝶番２７，２７を用いたものより利便性がある。バネ付蝶番２７ａ，２７ａは９０°以上開かないように調節しておく。又、観音開きをした左右両側壁用枠材１ｄ，１ｄが、帯部材９を持ち上げた際、内側に引っ張られるのを防ぐため、取手付開閉用棒部材２９の左右両端下部に引っ掛け３１部分を設ける。更に、前記開口前面４を構成する被覆体５の左右両側辺（上部約１／３を除く下部）と底辺部分は縫い合わせないようにし、伸縮自在の帯部材９は軽く手で持ち上げられる程度の軽い伸縮性のものを使用する（図２１参照）。
【００５３】
図２４及び２５は、本発明における第７の実施の形態を示すものであり、支持枠体は前記図１，２，３及び４に示した第１の実施の形態と同様であるが、ネット材の被覆体５における開口前面４の開閉操作に開閉用のバネ内蔵継手付枠材３２，３２を用いた点が異なり、そこで、ネット材の被覆体５の左右両側沿いに縦にバネ止め金３３，３３を有する止め棒３４，３４を施す。即ち、開閉用バネ内蔵継手付枠材３２，３２の取付は、バネ内蔵継手３２ａ，３２ａを用い、前方枠材１ａの上辺枠７の左右両端に取り付け、常時、バネ内蔵継手３２ａ，３２ａ部分を基点に各々下にさげ、止め棒３４，３４のバネ止め金３３，３３に止めておく。又、被覆体５の開口前面４の下辺に、上下へ引っ掛けることができる摘み付ダブル係止フック３５を、更に、後方枠材１ｂの下辺枠８ａに前記摘み付ダブル係止フック３５を止める係止環３５ａを設ける（図２４参照）。
【００５４】
この開口前面４の開閉操作は、左右両側の開閉用バネ内蔵継手付枠材３２，３２を止め棒３４，３４のバネ止め金３３，３３から取り外すことで、バネ内蔵継手３２ａ，３２ａの働きでバネ内蔵継手３２ａ，３２ａ部分を基点に各々内側へ９０°回転しながら上にあがり、支持枠体１における前方枠材１ａの上辺枠７に平行（横に）した位置に移動する（図２５参照）。
【００５５】
次に、摘み付ダブル係止フック３５を摘み付ダブル係止環３５ａから外して上へあげ、支持枠体１における前方枠材１ａの上辺枠７に引っ掛けることで開口前面４の被覆体５がめくり上がり、回収口１２が確保される（図２５参照）。そして、摘み付ダブル係止フック３５を支持枠体１前方枠材１ａの上辺枠７から外し、バネ内蔵継手付枠材３２，３２を、各々元の止め棒３４，３４のバネ止め金３３，３３に戻す（止める）と回収口１２が閉じ、そして摘み付ダブル係止フック３５を、摘み付ダブル係止環３５ａに引っ掛けると回収口１２が閉鎖される（図２４参照）。
【００５６】
従って、バネの力はバネ内蔵継手３２ａ，３２ａのバネより、バネ止め金３３，３３に使用するバネの方を若干強くする。尚、前記バネ内蔵継手付枠材３２，３２は９０°以上の角度に上がらないように調整しておき、前記ネット制の被覆体５における開口前面４の左右両側辺と下辺部は縫い合わせない。
【００５７】
次に、図２６及び２７は本発明における第７の実施の形態を示すものだが、支持枠体は図２０，２１，２２及び２３に示した第６の実施の形態と同じであり、前記図２４及び２５の折畳ゴミ置き場と異なる点は、支持枠体が違うため止め棒３４・３４を使用せず直接左右両側壁用枠材１ｄ，１ｄの前方縦枠に各々バネ止め金３３，３３を施し、ここに開閉用バネ内蔵継手付枠材３２，３２を止めておき、又、開口前面４の下辺中央部に摘み付係止フック３７が設けられている。そして、図２０と同じように伸縮自在の帯部材９は、この帯部材９の左右両側を、対向する左右両側壁用枠材１ｄ，１ｄの上辺前端を結ぶ態様に帯部材取付金具１０，１０で止め、更に折畳ゴミ置き場の開閉は図２２及び図２３と同様に、握り２６を用いて行なう。
【００５８】
前記開閉用バネ内蔵継手付枠材３２，３２はバネ内蔵継手３２ａ，３２ａ部分で、左右側壁用枠材１ｄ，１ｄの前方縦枠上部３６ａ，３６ａに取り付けてあり、この開閉用バネ内蔵継手付枠材３２，３２を、バネ内蔵継手３２ａ，３２ａ部分を基点に各々下にさげて前記左右側壁用枠材１ｄ，１ｄの前方縦枠３６，３６に平行（縦に）させ（図２６参照）、バネ止め金３３，３３に止めておく。
【００５９】
又、図２６は図２７のゴミ置き場における開口前面４の開閉操作方法を示したもので、バネ止め金３３，３３に止めてある開閉用バネ内蔵継手付枠材３２，３２を取り外すと、バネ内蔵継手３２ａ，３２ａの働きでバネ内蔵継手３２ａ，３２ａ部分を基点に各々内側へ９０°回転しながら上にあがり、被覆体５の前面上辺５ｂに平行（横に）した位置に移動する。
【００６０】
そして、下に垂れ下がっている摘み付係止フック３７を上にあげ被覆体５の前面上辺５ｂ中央に設けてある係止環３７ａに引っ掛けることで被覆体５がめくり上がり回収口１２が確保され（図２７参照）、更に、摘み付係止フック３７を外し、開閉用バネ内蔵継手付枠材３２，３２を各々元の左右両壁用枠材１ｄ，１ｄの前方縦枠のバネ止め金３３，３３に戻す（止める）と回収口１２が閉鎖される。前記図２４及び図２５同様バネの力は、バネ内蔵継手３２ａ，３２ａのバネより、バネ止め金３３，３３に使用するバネの方を若干強くし、又、前記バネ内蔵継手付枠材３２，３２は９０°以上の角度に上がらないように調整しておき、前記開口前面４を構成する被覆体５の左右両側辺と底辺部は縫い合わせないようにする。
【００６１】
図２８及び２９は、本発明における第８の実施の形態を示すものであり、前記第１及び第６の実施の形態における伸縮自在の帯部材９に、丸織ゴム用非固定型取手３８（図２８参照）及び平織ゴム用非固定型取手３８ａ（図２９参照）を取り付け、帯部材９を持ち上げ易くし、紐材の蓋部材１１ａでなる蓋体１１の開閉、即ち投入口１３の開閉を容易にしたもので、この非固定型取手３８は、帯部材９の端面と同じ形状のパイプを用いており、従って、丸織ゴムの帯部材９には、平常の端面が丸いパイプ材を（図２８参照）、又、平織ゴムからなる帯部材９に端面が扁平状矩形のパイプ材を使用する（図２９参照）。
【００６２】
非固定型取手３８（３８ａ）の取り付けは極めて簡単で、取手のパイプ材に帯部材９を挿通するだけでよく、然も固定型取手、即ち通常の取手と異なり帯部材９は取手の取り付け箇所に関係なく均一に伸縮する利点がある。そして、この非固定型取手３８を使用した場合は、パイプで隠れた部分の帯部材９に紐材を取り付けられないので、その部分については代わりにパイプに所定の間隔で蓋部材止める部分１１ｂを配置し、この蓋部材止める部分１１ｂに直接蓋部材１１ａを取り付ける。尚、帯部材９に通常の固定型取手を取り付けても構わない。
【００６３】
図３０及び３１は本発明における第９の実施の形態を示すものであり、前記第１及び第６の実施の形態における被覆体５の開口頂面３の帯部材９に、丸織ゴム用フック付非固定型取手３９（図３０参照）及び平織ゴム用フック付非固定型取手３９ａ（図３１参照）を取り付けたものであり、被覆体５における開口頂面３の蓋体１１を開口するさいフック付非固定型取手３９（３９ａ）を持ち上げ、そのまま後方へ移動させて、フック部分を帯部材９の長手方向に向き合う支持枠体１の後方枠材１ｂ上辺枠８に引っ掛けると、帯部材９及び蓋体１１が後方に引っ張られ、図３０に示す破線の方向へ投入口１３が開き、手を離しても閉じないので、第１の実施の形態におけるピンフック９ｂ…９ｂで伸縮自在の帯部材９を前記後方枠材１ｂの上辺枠８に引っ掛けたのと同様にゴミ入りポリ袋を両手で投入したり、複数のゴミ入りポリ袋を投入するのに便利である。図２８に示した非固定型取手３８及び図２９に示した非固定型取手３８ａ同様に、フック付非固定型取手３９及びフック付非固定型取手３９ａのパイプに所定の間隔で紐材でなる蓋部材止め部分１１ｂを配置し、この蓋部材止め部分１１ｂに直接に蓋部材１１ａを取り付ける。破線は投入口１３の大きさを示している。この第９実施例の形態においては、先の第１実施例の形態におけるピンフック９ｂと同様の役割を果すわけである。
【００６４】
図３２及び３３は本発明における第１０の実施の形態をそれぞれ示すものであり、前記第１の実施及び第６の実施の形態に示した丸織ゴム及び平織ゴムでなる伸縮自在の帯部材９に、２個以上の複数の非固定型取手３８（図３２参照）又はフック付非固定型取手３９（図３３参照）を設けたものを示しており、この場合には複数の投入口１３が確保され、その分ゴミ入りポリ袋の投入が容易になる。破線は投入口１３の大きさを示している。尚、第６の実施の形態への丸織ゴム用及び平織ゴム用の複数の非固定型取手３８及びフック付非固定型取手３９の取り付けが第１の実施の形態と全く同じなのでこの分についての図面は省略。
【００６５】
図３４は本発明における第１１の実施の形態を示すものであり、前記伸縮自在の帯部材９に、直径１.０ｃｍ〜１.５ｃｍ程度のコイルバネ９ａを用いた例を示しており、この伸縮自在のコイルバネだと、前記各実施の形態に示した丸織ゴム及び平織ゴムからなる伸縮自在の帯部材９より耐久性及び伸縮性に優れ、投入口１３の開閉が容易である。尚、コイルバネだと丸織ゴムや平織ゴムのような劣化の心配はなく、従って帯部材９を定期的に交換する必要もない。
【００６６】
前記コイルバネからなる伸縮自在の帯部材９は防水加工した布のチューブ４０で覆うとより耐久性に優れ、又、紐材でなる蓋部材１１ａをコイルバネからなる帯部材９に直に取り付けにくいが、コイルバネからなる帯部材９を所定の間隔で蓋部材止め部分１１ｂ，１１ｂを配置した布のチューブ４０で被覆すると、紐材からなる蓋部材１１ａをこの蓋部材止め部分１１ｂ，１１ｂに直接取り付けられるようになる。尚、コイルバネ９ａからなる帯部材９には、丸織ゴムの帯部材９同様に前記図２８に示した丸いパイプ材でなる非固定型取手３８及び前記図３０に示したフック付非固定型取手３９を用いるとよい。
【００６７】
図３５及び３６は本発明における第１２の実施の形態をそれぞれ示すものであり、前記第１の実施形態についての図５に示したのと同様に、支持枠体１における前方枠材１ａの下辺枠７ａ（後方）左右両端に揺動機能付固定金具４１を、又、前記第６の実施の形態について支持枠体１における後壁用枠材１ｃの下辺枠４２左右両端に固定金具４３を各々取り付けたもので、この揺動機能付固定金具４１及び固定金具４３にはアンカー等を用い、アスファルト（コンクリート）の路面に穿設した固定用の穴に差し込み、更に補強のためアンカーの上部に固定用金属板４４（ベース板）を設け、路面にボルトで止めるようにしてある。そして、図３５に示した実施の形態については、折畳ゴミ置き場を開閉するたびに固定金具に対し支持枠体１の角度が変わるので揺動する機能を持たせて枢着する方法を採用し、又、図３６に示した実施の形態については、固定金具と支持枠体１が常に固定しており、通常の固定金具４３を使用している。これら固定金具のため折畳ゴミ置き場は常時、路上の片隅に固定されており、強風で吹き飛ばされるなど不用意に移動することはない。尚、アンカーの長さは３０ｃｍ程度とするが、これとは別に心棒打込式オネジタイプアンカーを用いてもよい。
【００６８】
図３７及び図３８は本発明における第１３の実施形態を示すものであり、この形態の蓋体１１は、前記支持枠体１において上部で対峙する前方枠材１ａと後方枠材１ｂとの間に、図３７に示すように縦にレール用ロープ４本４５…４５を渡し、前記ロープ４５…４５の前後の両先端を、あらかじめ前方支持枠材１ａ及び後方支持枠材１ｂに４個ずつ取り付けておいたレール用ロープ係止金具４６…４６に通し、輪状４５ａ…４５ａにし、カシメて各々止め（図３８参照）、前記ロープ４５とロープ４５の間に各々１枚ずつ撥水性布地材又はネット材でなる蓋部材１１ａを張り、前記蓋部材１１ａの後辺を後方枠材１ｂの上辺枠８に取り付け、又、前記蓋部材１１ａの前方へ、前方枠材１ａに平行するように各々開閉用の取手付き棒部材４７を施し、更にレール用ロープ４５と蓋部材１１ａとを多数の小さな二重リング４８…４８で結び、手で前後に開閉してゴミ入りポリ袋の投入口１３を確保できる蓋体１１を有する。蓋部材１１ａに撥水性布地材を使用する場合は、左右両端にハトメで多数の孔４９…４９を空け、これらの孔４９…４９とレール用ロープ４５を多数の二重リング４８…４８で結ぶ。使い勝手をよくするため、小型折畳ゴミ置き場は前記の蓋体１１を１基とし、又、大型折畳ゴミ置き場の場合は、蓋体１１を３基並列させることもできる。レール用ロープ４５は丈夫で滑りのよいナイロン等高分子合成繊維系製、又、レール用ロープ係止金具４６及び二重リング４８は錆びにくいステンレス製が適している。尚、ハトメで孔を開けずにカーテン用吊り金具で撥水性布地部材をレール用ロープに直接接続してもよい。
【００６９】
図３９、図４０及び図４１は本発明における第１４の実施形態を示すものであり、この形態は、前記支持枠体１において、開閉部分の支持枠材、いわゆる後方枠材１ｂの下辺左右両側及び左右両側壁用枠材１ｄの下辺に各々塩化ビニール等材質の堅い高分子合成樹脂素材のパイプ材５０（直径３ｃｍ、肉厚０.２５ｃｍ〜０.３ｃｍ、長さ１５ｃｍ〜２０ｃｍ程度）を施す。図３９及び図４０に示すように直径２.２ｃｍ使用の支持枠材１ｂ及び支持枠材１ｄを約３ｃｍのパイプ材５０で覆い、支持枠材１ｂ及び支持枠材１ｄを開閉するさい、コロ（キャスター）の役目を果し、開閉をスムーズに行なうようにする。更に開閉のたびに支持枠材がアスファルト（コンクリート）に擦れるので、これによるの支持枠材の摩滅を防ぐのにも役立つ。尚、図４１はパイプの断面図を示している。
【図面の簡単な説明】
【００７０】
【図１】本発明における第１の実施の形態で投入口を確保した状態を示す斜視図。
【図２】図１に示した実施の形態において投入口を閉じるとともに回収口を確保した状態を示す斜視図。
【図３】図１に示した実施の形態において折り畳んだ状態を示す斜視図。
【図４】図１に示した実施の形態において帯部材をピンフックで止め投入口を確保した状態を示す斜視図。
【図５】図１に示した実施の形態においてフック付棒部材に揺動機能を持たせて枢着したうえ、更にボタン状フックを設けた状態を示す拡大正面図及び側面図。
【図６】図１に示した実施の形態において帯部材の取付手段を示す拡大斜視図。
【図７】図１に示した実施の形態において異なる種類の帯部材の取付手段を示す拡大斜視図。
【図８】図１に示した実施の形態において被覆材のワッカ部分に糊材を噴霧付着した状態を示す拡大斜視図。
【図９】図１に示した実施の形態において被覆材の異なる種類のワッカ部分に糊材を噴霧付着した状態を示す拡大斜視図。
【図１０】本発明における第２の実施の形態を示す斜視図。
【図１１】本発明における第３の実施の形態を示す斜視図。
【図１２】図１１に示した実施の形態において回収口を確保した状態を示す斜視図。
【図１３】図１１に示した実施の形態において折り畳んだ状態を示す斜視図。
【図１４】本発明における第４の実施の形態を示す斜視図とその一部拡大図。
【図１５】図１４に示した実施の形態において接続係止具の具体例を示す拡大正面図。
【図１６】本発明における第５の実施の形態を示す斜視図。
【図１７】図１６に示した実施の形態において折り畳んだ状態を示す斜視図。
【図１８】図１６に示した実施の形態における軸継手部分を示す拡大正面図。
【図１９】図１８の側面図。
【図２０】本発明における第６の実施の形態において投入口を確保した状態を示す斜視図。
【図２１】図２０に示した実施の形態において投入口を閉じるとともに回収口を確保した状態を示す斜視図とその一部拡大図。
【図２２】図２０に示した実施の形態において折畳ゴミ置き場を折り畳むため、開閉用棒部材を持ち上げて後壁用棒部材上辺枠まで持っていき止め金に止め、開口前面の被覆体を開口上面へ移動した状態を示す斜視図。
【図２３】図２０に示した実施の形態における折り畳んだ状態を示す斜視図とその一部拡大図。
【図２４】本発明における第７の実施の形態の斜視図とその一部拡大図。
【図２５】図２４に示した実施の形態において回収口を形成する際の過程を示す斜視図。
【図２６】図２４に示した本発明の第７の実施の形態における異なる支持枠体を用いた斜視図とその一部拡大図。
【図２７】図２６に示した実施の形態において回収口を形成する際の過程を示す斜視図とその一部拡大図。
【図２８】本発明における第８の実施の形態においての斜視図とその一部拡大図。
【図２９】図２８に示した実施の形態において異なる非固定型取手を用いた状態を示す斜視図とその一部拡大図。
【図３０】本発明における第９の実施の形態を示す斜視図とその一部拡大図。
【図３１】図３０に示した実施の形態において異なる非固定型取手を用いた状態を示す斜視図とその一部拡大図。
【図３２】本発明における第１０の実施の形態を示す斜視図。
【図３３】図３２に示した実施の形態において異なる非固定型取手を用いた状態を示す斜視図。
【図３４】本発明における第１１の実施の形態を示す斜視図とその一部拡大図。
【図３５】本発明における第１２の実施の形態を示す斜視図とその一部拡大図。
【図３６】図３５に示した実施の形態における異なる固定金具を用いた状態を示す斜視図とその一部拡大図。
【図３７】本発明における第１３の実施の形態を示す上面図。
【図３８】図３７に示した実施例の形態におけるレール用ロープ取付フックにレール用ロープを取り付けた状態を示す拡大側面図及び平面図。
【図３９】図１に示した実施の形態において後方支持枠材の下辺左右両側にパイプ材を施した具体例を示す斜視図。
【図４０】図２０に示した実施の形態において左右両側壁用支持枠材の下辺にパイプ材を施した具体例を示す斜視図。
【図４１】図３９及び図４０に示した実施例の形態におけるパイプ材の拡大断面図。
【符号の説明】
【００７１】
１  支持枠体、１ａ  前方枠材、１ｂ  後方枠材、１ｃ  後壁用枠材、１ｄ  左右両側壁用枠材、２  軸継手、３  頂面（開口頂面）、４  前面（開口前面）、５  被覆体、５ａ  被覆部材、５ｂ  被覆体の前面上辺、５ｃ  被覆体の前面下辺、６  被覆体の後面上辺、６ａ  後面下辺、７  前方枠材１ａの上辺枠、７ａ  後方枠材１ｂの下辺枠、８  後方枠材１ｂの上辺枠、８ａ  後方枠材１ｂの下辺枠、９  帯部材、９ａ  コイルバネ、９ｂ  ピンフック、１０  帯部材取付金具、１０ａ  接続係止金具，１０ｂ  係止フック、１１  蓋体、１１ａ  蓋部材、１１ｂ  蓋部材止め部分、１２  回収口、１３  投入口、１４  重り兼用の開閉用棒部材、１４ａ  止め金付取手、１５  重り用棒部材、１６  フック付棒部材、１６ａ  フック、１６ｂ  揺動機能、１７，１７ａ，１７ｂ，１７ｃ  止め金、１８  輪（ワッカ）、１９  囲い、１９ａ  底壁、２０  面ファスナー、２０ａ  面ファスナーのオス、２０ｂ  面ファスナーのメス、２１  開閉部切込、２２  帯状テープ、２３  蓋部材取付用棒部材、２４  バネ部材、２５  取手付止め具、２６  握り、２７  蝶番、２７ａ  バネ付蝶番、２８  後壁用枠材上辺枠、２９  取手付棒部材、３０  打掛、３１  引っ掛け、３２  バネ内蔵継手付枠材、３２ａ  バネ内蔵継手、３３  バネ止め金、３４  止め棒、３５  摘み付ダブル係止フック、３５ａ  摘み付ダブル係止環、３６  前方縦枠、３６ａ  前方縦枠上部、３７  摘み付係止フック、３７ａ  係止環、３８，３８ａ  非固定型取手、３９，３９ａ  フック付非固定型取手、４０  チューブ、４１  揺動機能付固定金具、４２  後壁用枠材下辺枠、４３  固定金具、４４  固定用金属板、４５  レール用ロープ、４５ａ  輪状、４６  レール用ロープ係止金具、４７  開閉用取手付き棒部材、４８  二重リング、４９  孔、５０  パイプ材。
【図１】
2005047709.tif 000003
【図２】
2005047709.tif 000004
【図３】
2005047709.tif 000005
【図４】
2005047709.tif 000006
【図５】
2005047709.tif 000007
【図６】
2005047709.tif 000008
【図７】
2005047709.tif 000009
【図８】
2005047709.tif 000010
【図９】
2005047709.tif 000011
【図１０】
2005047709.tif 000012
【図１１】
2005047709.tif 000013
【図１２】
2005047709.tif 000014
【図１３】
2005047709.tif 000015
【図１４】
2005047709.tif 000016
【図１５】
2005047709.tif 000017
【図１６】
2005047709.tif 000018
【図１７】
2005047709.tif 000019
【図１８】
2005047709.tif 000020
【図１９】
2005047709.tif 000021
【図２０】
2005047709.tif 000022
【図２１】
2005047709.tif 000023
【図２２】
2005047709.tif 000024
【図２３】
2005047709.tif 000025
【図２４】
2005047709.tif 000026
【図２５】
2005047709.tif 000027
【図２６】
2005047709.tif 000028
【図２７】
2005047709.tif 000029
【図２８】
2005047709.tif 000030
【図２９】
2005047709.tif 000031
【図３０】
2005047709.tif 000032
【図３１】
2005047709.tif 000033
【図３２】
2005047709.tif 000034
【図３３】
2005047709.tif 000035
【図３４】
2005047709.tif 000036
【図３５】
2005047709.tif 000037
【図３６】
2005047709.tif 000038
【図３７】
2005047709.tif 000039
【図３８】
2005047709.tif 000040
【図３９】
2005047709.tif 000041
【図４０】
2005047709.tif 000042
【図４１】
2005047709.tif 000043